(57)【要約】【課題】  挟持状態なのか解除状態なのか容易に判別できるレンジフードファンを提供する。【解決手段】  フード本体１前縁面部１１下部に、挟持金具６を下向き鉛直状態からフード本体１の前縁面部１１から張り出す状態となるように上下方向回動可能に軸着して、下向き鉛直状態で前板後縁面部１２を、フード本体前縁面部１１下部に挟持するようにして、フード本体の前縁面部１１から側方に張り出す挟持金具６のその張り出し形態が作業者に挟持解除状態を訴える。【選択図】  図４
2005265279.tif 000002
【特許請求の範囲】
【請求項１】
前板後縁面上部を、下面及び前面が開放されたフード本体前縁面部上部に係止し、前記フード本体前縁面部下部に、挟持金具を下向き鉛直状態とフード本体の前縁面部突端から側方に張り出す状態となる範囲で上下方向回動可能に軸着して、前記下向き鉛直状態で前板後縁面を、フード本体前縁面部に挟持することを特徴とするレンジフードファン。
【請求項２】
前記挟持金具は、平行する挟持片を中間片で連設した平面視コ形状を呈し、該挟持金具は、水平もしくは略水平な解除状態に回動させた際、該中間片の上側の端面がフード本体の前縁面部突端面に突き当たるようにしていることを特徴とする請求項１記載のレンジフードファン。
【請求項３】
前記フード本体の前縁面にその前縁面突端から突出する本体金具を接合または一体に設けると共に前板後縁面にその後縁面突端から突出する前板金具を接合または一体に設けてフード本体の前記前縁面部下部とそれに対応する前板後縁面部を各々形成し、前記本体金具に前記挟持金具を上下方向回動可能に軸着し、前記挟持片の内面に対向して小突起を突設して、その小突起を本体金具、前板金具に点係合で挟持可能にしていることを特徴とする請求項２記載のレンジフードファン。
【請求項４】
前記本体金具、前板金具は、接合されている場合には、フード本体の前縁面の内面、前板後縁面の内面に接合し、一体に設けられている場合には、接合されている本体金具、前板金具と同一位置に位置するようにフード本体の前縁面及び前板後縁面にプレス成形されて、共通する挟持金具を使用可能とし、本体金具、前板金具のどちらか一方または双方に両金具間隔を保持する間隔保持部を設けていることを特徴とする請求項３記載のレンジフードファン。
【請求項５】
前記間隔保持部はエンボスであることを特徴とする請求項４記載のレンジフードファン。
【請求項６】
前記小突起がエンボスであり、本体金具、前板金具にその小突起が係合する孔または逆向きエンボスを形成していることを特徴とする請求項３〜５いずれか１項記載のレンジフードファン。
【請求項７】
前記本体金具、前板金具は、フード本体の前面開放部閉口する際に相互に係合する位置合わせ部を構成することを特徴とする請求項３〜６いずれか１項記載のレンジフードファン。
【発明の詳細な説明】
【技術分野】
【０００１】
本発明はレンジフードファン、更に詳しくは下面及び前面を開放したフード本体のその前面開放部を開閉可能に被蓋する前板の取付構造に関するものである。
【背景技術】
【０００２】
従来、レンジフードファンは、フード本体前縁面（フランジ）上部をそれに対応する前板後縁面（フランジ）に係止し、フード本体の前縁面下部に挟持金具を上下スライド可能に設け、そのフード本体の前面開放部を閉じるように前板を被せてから前記挟持金具を下方スライドさせてフード本体前縁面から突出する位置決め片と、前板後縁面から突出する位置決め片とを相互に挟持する構成のものがある（例えば、特許文献１参照）。
【０００３】
しかしながら、現実問題として、挟持金具は挟持時、解除時共に前記前縁面や後縁面にオーバーラップする形態であるから、挟持時なのか解除時なのか判別し難い。
そのため、解除時を挟持時と錯覚して、レンジフードファンを作動させることがある。
解除時には、挟持金具による挟持固定力が作用しないため、フード本体と前板との間には一目では分かり難い隙間が形成されており、レンジフードファンの作動で捕獲された廃ガスがその隙間から室内に漏洩し、室内を汚染してしまう。
また、前記係止は、前板の係脱を考慮した構成であるため、清掃時やメンテナンス時に比較的大きな力が間違って作用した時に、解除時の前板が外れて落下する虞れもあった。
【特許文献１】特開平７−１２８３７号公報
【発明の開示】
【発明が解決しようとする課題】
【０００４】
本発明は上記従来事情に鑑みてなされたもので、その目的とする処は、挟持状態なのか解除状態なのか作業者が容易に判別できるレンジフードファンを提供することにある。
【課題を解決するための手段】
【０００５】
前記課題を解決するために講じた技術的手段は、前板後縁面上部を、下面及び前面が開放されたフード本体前縁面部上部に係止し、前記フード本体前縁面部下部に、挟持金具を下向き鉛直状態とフード本体の前縁面部突端から側方に張り出す状態となる範囲で上下方向回動可能に軸着して、前記下向き鉛直状態で前板後縁面を、フード本体前縁面部に挟持することを特徴とするレンジフードファンである（請求項１）。
【０００６】
以上の手段によれば、フード本体の前縁面部から側方に張り出す挟持金具のその張り出し形態が作業者の視覚に挟持解除状態を訴える。
【０００７】
また、前記挟持金具は、平行する挟持片を中間片で連設した平面視コ形状を呈し、該挟持金具は、水平もしくは略水平な解除状態に回動させた際、該中間片の上側の端面がフード本体の前縁面部突端面に突き当たるようにしていると、好適なものである（請求項２）。
【０００８】
以上の手段によれば、フード本体の鉛直状の前縁面部から水平もしくは略水平に張り出すその挟持金具の張り出し形態が作業者の視覚によりハッキリ挟持解除状態を訴える。
【０００９】
そして、前記フード本体の前縁面にその前縁面突端から突出する本体金具を接合または一体に設けると共に前板後縁面にその後縁面突端から突出する前板金具を接合または一体に設けてフード本体の前記前縁面部下部とそれに対応する前板後縁面部を各々形成し、前記本体金具に前記挟持金具を上下方向回動可能に軸着し、前記挟持片の内面に対向して小突起を突設して、その小突起を本体金具、前板金具に点係合で挟持可能にしていると好適なものである（請求項３）。そして、本体金具、前板金具にその小突起が係合する孔または逆向きエンボスを形成していると好ましいものである（請求項６）。
【００１０】
以上の手段によれば、耐強度に優れた本体金具、前板金具に挟持金具が挟持され、またその本体金具に挟持金具を回動可能に軸着する。
そして、挟持金具の挟持片各々に設けた小突起が本体金具、前板金具に形成した孔や逆向きエンボスに係合して挟持状態を保持する。
また、そのエンボスからなる小突起が本体金具、前板金具に形成している孔や逆向きエンボスに点係合すると、作業者自ら挟持の確認を行なうに最適である。
【００１１】
そして、本体金具、前板金具は、接合されている場合には、フード本体の前縁面の内面、前板後縁面の内面に接合し、一体に設けられている場合には、接合されている本体金具、前板金具と同一位置に位置するようにフード本体の前縁面及び前板後縁面にプレス成形されて、共通する挟持金具を使用可能とし、本体金具、前板金具のどちらか一方または双方に両金具間隔を保持する間隔保持部を設け（請求項４）、その間隔保持部がエンボスであると好ましいものである（請求項５）。
【００１２】
以上の手段によれば、本体金具、前板金具が、フード本体、前板に接合されたり、フード本体、前板に一体に成形されるものであっても、共通する挟持金具を使用可能にし、またその本体金具、前板金具が挟持金具による挟持力を受けて変形するのを間隔保持部で防止する。
【００１３】
そして、前記本体金具、前板金具は、フード本体の前面開放部を前板で閉口する際に相互に係合する位置合わせ部を構成するようにすると、より好適なものとなる（請求項７）。
【発明の効果】
【００１４】
本発明は以上のように構成したから下記の利点がある。
（請求項１、２）挟持時に下向き鉛直回動状態になるのに対して解除時にはその挟持金具がフード本体の前縁面部から側方に張り出す形態になって、挟持状態か解除状態かを視覚で判別できるようになる。
そのため、挟持金具が挟持状態なのか解除状態なのかすぐさま分かり、挟持金具が解除状態になっているにも拘わらず、レンジフードファンを作動させて、捕獲される廃ガスがフード本体と前板との間に形成される隙間から室内に漏洩したり、前板に比較的強い力が作用して、係止が解かれて前板落下の危険性を未然に防止することができる。
（請求項３）しかも、耐強度に優れた本体金具、前板金具を設けて、それに挟持金具を回動可能に軸着したり、挟持力が作用するようにしているから、耐久性を向上できる。
また、挟持金具は本体金具、前板金具に点接触して回動するようになるので、面接触に比してスムースな回動動作が得られ、回動操作が厄介にならない。
（請求項４）また、本体金具、前板金具が、フード本体、前板に接合されたり、フード本体、前板に一体にプレス成形されるものであっても、共通する挟持金具を使用でき、便利であるし、挟持金具での挟持力を受けても間隔保持部（エンボス）で保持して本体金具、前板金具の変形を防止し、より優れた耐久性を発揮できる。
（請求項６）そして、挟持金具の挟持片各々に設けた小突起（エンボス）が本体金具、前板金具に形成した孔や、そのエンボスが乗り越える逆向きエンボスに点係合して挟持状態になるので挟持状態を作業者自らが手の感覚で確認することができる。
（請求項７）その上、本体金具、前板金具で、フード本体の前面開放部を前板で閉口する際に相互に係合する位置合わせ部を構成するようにすると、挟持金具の挟持片各々に設けた小突起と、その小突起が係合する孔や逆向きエンボスとの相対関係を不変にして、再現性をもって点係合することができる。
【発明を実施するための最良の形態】
【００１５】
次に、本発明レンジフードファンの実施の形態を図面に基づいて説明する。
【実施例１】
【００１６】
図１〜図７において、符号Ａはレンジフードファンである。
このレンジフードファンＡは、図１に示すように、下面及び前面が開放されたフード本体１の前面開放部を前板２で開閉可能に被蓋し、内部に排気手段３を収容し、その排気手段３に連通する排気ダクトＤから廃ガスを屋外に排気するようになっている。
図１〜図３に示すようにフード本体１前縁面１１ａ上部の前縁左右両側部に前方下向きに傾斜した案内片２１を、それに対応する前板２の後縁面１２ａにその案内片２１が嵌合する案内孔２２を開孔し、更にフード本体１前縁面部１１上部に引掛け部４を、それに対応する前板２後縁面部１２に係合部５を形成し、フード本体１の前面開放部閉口時のフード本体１前縁面部１１下部と、それに対応する前板２後縁面部１２とを挟持する解除可能な挟持金具６を設けている。
【００１７】
前記フード本体１は、図３に示すようにその前縁上部及び前縁左右部に内向きフランジからなる前縁面１１ａを折曲状に有し、その前縁面１１ａ上部の左右両側部に、前記案内片２１を前方下向きに傾斜させ、その案内片２１の側方に位置して該案内片２１よりも前方に突出し上縁に引掛け部４を切欠形成した係止片３１とを一体に形成している。
一方、前記前板２は、図２に示すようにその後縁上部及び後縁左右部に内向きフランジからなる後縁面１２ａを折曲状に有し、前記案内孔２２の他に、前記係止片３１が掛かり合う係合部（係合孔）５を切欠形成している。
そして、図１に示すようにフード本体１の前方下向きの案内片２１に前板２の前記案内孔２１を嵌合して前板２を案内片２１に沿って上方に押上げて、その前板２を案内片２１の傾斜面に沿ってフード本体１の前面開放部を閉口するように案内することによって、案内片２１の基部で上方への移動が阻止されて係止されるようになっており、その案内終了時点で係合部５が係止片３１の引掛け部４の上方に接近して対応するようになっている（特開平７−１２８３７号公報参照）。
そして、後述する挟持金具６での挟持を解除してから、前板２を手前側に引っ張ることによって係止片３１の引掛け部４が係合部（係合孔）５に係止して受け止められて前板２の脱落が防止され、その状態で前板２を持上げることによって前板２を外せるようになっている。
【００１８】
前記フード本体１の前縁面１１ａ左右部の下部内面には図４〜図７に示すように本体金具７を、またそれに対応する前板２の後縁面１２ａ内面には前板金具８を各々スポット溶接等の固定手段で接合して、フード本体１の前記前縁面部１１下部と、それに対応する前板２の前記後縁面部１２を各々形成している。
【００１９】
前記本体金具７は、図４、図５等に示すように上半部をフード本体１の前縁左右部の内向きフランジ（前縁面）幅よりも幅広とし、その幅広部１７の中高部位から前板２方向に向けて第１位置決め突部２７を突設すると共に下端縁から第２位置決め片３７を折曲形成している。
【００２０】
一方、前板金具８は、前記幅広部１７の第１位置決め突部２７を有する所要部位に対応する部分を幅広とし、その幅広部１８に前記第１位置決め突部２７が係合する孔２８を開孔すると共に、その幅広部１８の下縁を前記第２位置決め片３７に係合するようになっている。
従って、前記本体金具７の第１位置決め突部２７、第２位置決め片３７と、前板金具８の前記孔２８、幅広部１８の下縁とでフード本体１の前面開放部を閉口する際のその前板２の上下、左右方向の移動を防止する位置合わせ部９を構成する。
【００２１】
図４や図７等において、符号１０は、本体金具７の幅広部１７、前板金具８の幅広部１８のどちらか一方または双方から一体に突設されて両金具７、８間を保持する間隔保持部（エンボス）である。
【００２２】
前記本体金具７には、図３〜図５等に示すように挟持金具６が上下方向回動可能に軸着されている。
【００２３】
前記挟持金具６は、平行する挟持片１６、１６の頂部を中間片２６で連設した平面視コ形状を呈してなり、その中間片２６を挟持片１６、１６の中途部から設けると共に挟持片１６、１６における中間片２６とは逆側の縁部分に回動用の把手３６、３６が各々外向きに折曲形成されている。
【００２４】
そして、この挟持金具６は、図６に示すように前記本体金具７の幅広部１７上域部に螺挿するボルトｂを挟持片１６の一片を貫通して挟持片１６の他片に突き当るように設け、ボルトｂの頭部ｂ１と挟持片１６の一片との間にボルトｂと同軸上に、弾撥スプリングｃを介在して、その弾撥スプリングｃの付勢力で回動位置を任意に設定できるように軸着されている。
【００２５】
また、前記中間片２６は、図４に示すように挟持金具６をフード本体１の前縁面部１１から張り出すように水平もしくは略水平状に回動させた際、上側の端面が本体金具７の突端面に突き当って、下向き鉛直状態から水平状態もくしは略水平状態の範囲で挟持金具６の回動が規制されるようにしている。
【００２６】
前記挟持片１６、１６各々には、図７に示すように対向するように小突起（エンボス）１６ａ、１６ａが内向きに突設形成され、本体金具７、前板金具８には、被係合部７ａ、８ａが形成されている。
被係合部７ａ、８ａは、小突起１６ａ、１６ａが係合する孔や凹部、更には逆向きエンボスである。
前記する小突起１６ａ、１６ａ間寸法は、前記本体金具７、前板金具８間寸法よりも小さな寸法にして、挟持金具６を下向き鉛直状に回動させた時に小突起１６ａ、１６ａが被係合部７ａ、８ａに点係合してフード本体１の前縁面部１１下部と前板２前縁面部１２とを挟持するようになっている。
【００２７】
以上のように構成されているレンジフードファンＡでは、前記のようにフード本体１の前方下向きの案内片２１に前板２の前記案内孔２２を嵌合して前板２をその案内片２１に沿って上方に押上げて、その前板２を案内片２１の傾斜面に沿ってフード本体１の前面開放部を閉口するように案内すると、案内片２１の基部で係止されて上方への移動が阻止されると共に、位置合わせ部９を構成して、前板２は上方及び左右方向に移動不能に保持、位置決めする。
そして、解除状態でフード本体１の前縁面部１１から水平もしくは略水平状に張り出しいるその挟持金具６を下向き鉛直状に回動してフード本体１に対して前板２を挟持する。
従って、挟持金具６のフード本体１の前縁面部１１からその側方に張り出しいるその状態が作業者自身の視覚に自ずと入り、解除状態と認識されるから、その視覚認識がレンジフードファンの作動を抑止させるし、その状態での清掃やメンテナンスを抑止させて、衝撃や力によって、位置合わせ部７を支点にして前板２が前倒したり、位置合わせ部９が外れて引掛け部４に対する係合部５の係合が不意に解かれるような危険性を回避する。
【実施例２】
【００２８】
図８に示す実施の形態を説明すると、この実施の形態は、前記する本体金具、前板金具を、フード本体の後縁面、前板の前縁面に一体に形成したものである。
この場合、前記実施の形態で使用されている挟持金具を共用すべく、フード本体の前縁面の内面、前板後縁面の内面に接合されている本体金具、前板金具と同一位置に位置するようにフード本体の前縁面及び前板後縁面にプレス成形してある。
他の構成は前記する実施の形態と同様であるため、同一符号を付して具体的説明は省略する。
【図面の簡単な説明】
【００２９】
【図１】本実施の形態レンジフードファンの側面図で一部切欠して示す。
【図２】前板の背面図。
【図３】フード本体の正面図。
【図４】本体金具、前板金具を固定した部分の部分拡大斜視図。
【図５】同本体金具、前板金具を固定した部分の部分拡大図で、（ａ）は、正面図、（ｂ）は、挟持時の斜視図。
【図６】図５（ａ）の（６）−（６）線断面図。
【図７】図６の横断面図で、（ａ）は、（７ａ）−（７ａ）線断面図、（ｂ）は、（７ｂ）−（７ｂ）線断面図
【図８】他の実施の形態の要部の部分拡大横断平面図。
【符号の説明】
【００３０】
１：フード本体                    １１：前縁面部（フード本体の前縁面部）
１２：後縁面部（前板の後縁面部）      ６：挟持金具
１６：挟持片                        ２６：中間片
１１ａ：前縁面（フード本体の前縁面）１２ａ：後縁面（前板の後縁面）
７：本体金具                        ８：前板金具
１０：間隔保持部                  １６ａ：小突起
７ａ、８ａ：被係合部                        ９：位置合わせ部
【図１】
2005265279.tif 000003
【図２】
2005265279.tif 000004
【図３】
2005265279.tif 000005
【図４】
2005265279.tif 000006
【図５】
2005265279.tif 000007
【図６】
2005265279.tif 000008
【図７】
2005265279.tif 000009
【図８】
2005265279.tif 000010